(57)【特許請求の範囲】
【請求項１】
表示装置の表示面上のタッチ位置の座標を検出するタッチセンサを備えた画面入力型画像表示システムであって、
前記タッチセンサは、前記表示装置の表示面上に配置されて押圧による容量変化を検出するための複数のＸ座標電極と、該Ｘ座標電極と絶縁層を介して交叉配置した複数のＹ座標電極とを有しており、
当該画面入力型画像表示システムは、
前記タッチセンサの前記Ｘ座標電極と前記Ｙ座標電極の間の容量変化を検出する検出回路と、
検出回路の検出出力をデジタルデータに変換するアナログ−デジタル・コンバータと、
タッチされた座標を判定するタッチパネル制御回路と、
前記タッチパネル制御回路のタッチ座標データを入力すると共に、当該画面入力型画像表示システムを制御する主制御回路と、
前記表示装置の表示を制御する表示制御回路と、
を備え、
前記主制御回路は、前記タッチ座標データからユーザのタッチの発生とその座標を判断し、当該判断された座標に応じた表示信号を前記表示制御回路を通して前記表示装置に供給し、
前記タッチパネル制御回路は、前記座標検出を第１の期間と第２の期間に分離し、前記第１の期間で静電容量が変化するＸ座標電極とＹ座標電極を検出し、前記第２の期間で検出されたＸ座標電極とＹ座標電極の組合せを判定するための操作を行い、その結果に基づいてタッチ位置の座標を出力して、
前記第１の期間で検出されたＸ座標電極とＹ座標電極がそれぞれ２以上の場合に、座標の組合せを判定する前記第２の期間の操作を実施し、前記第１の期間で検出されたＸ座標電極とＹ座標電極のうち、どちらか一方が１の場合には前記第２の期間の操作を行わずに連続して前記第１の期間の座標検出を行うことを特徴とする画面入力型画像表示システム。
【請求項２】
請求項１において、
前記第２の期間では、検出されたＸ座標電極又は全てのＸ座標電極に印加する信号を、
判定したい前記複数の検出されたＹ座標電極の一つに印加することを特徴とする画面入力型画像表示システム。
【請求項３】
請求項１において、
前記第２の期間において、判定したいＹ座標電極に信号を印加した状態で、判定したい前記第１の期間で検出されたＸ座標電極の出力信号を該第１の期間で検出した出力信号とを比較することで座標の組合せを判断することを特徴とする画面入力型画像表示システム。
【請求項４】
請求項２又は３において、
前記第２の期間の座標判定において、該第２の期間で信号を印加しているＹ座標電極と組み合わせるＸ座標電極は、前記第１の期間におけるＸ座標電極の出力信号と比べ、前記第２の期間におけるＸ座標電極の出力信号がより少なくなったＸ座標電極とすることを特徴とする画面入力型画像表示システム。
【請求項５】
表示装置の表示面上のタッチ位置の座標を検出するタッチセンサを備えた画面入力型画像表示システムであって、
前記タッチセンサは、
前記表示装置の表示面上に配置されて押圧による容量変化を検出するための複数のＸ座標電極と、該Ｘ座標電極と絶縁層を介して交叉配置した複数のＹ座標電極とを有し、
第１の期間で静電容量が変化するＸ座標電極とＹ座標電極を検出し、第２の期間で検出されたＸ座標電極とＹ座標電極の組合せを判定し、その判定結果に基づいてタッチ位置の座標を出力することを特徴とする画面入力型画像表示システム。
【発明の詳細な説明】
【技術分野】
【０００１】
本発明は、画像表示システムにかかり、特に、容量結合方式のタッチセンサにおける多点座標検出を可能とした画面入力型画像表示システムに関する。
【背景技術】
【０００２】
表示画面に使用者の指などを用いてユーザの指などによるタッチ操作（接触押圧操作、以下、単にタッチと称する）して情報を入力する画面入力機能をもつタッチセンサ（タッチパネルとも称する）を備えた画像表示装置は、ＰＤＡや携帯端末などのモバイル用電子機器、各種の家電製品、無人受付機等の据置型顧客案内端末に用いられている。このようなタッチ入力機能を備えた画像表示装置では、タッチされた部分の抵抗値変化、あるいは容量変化を検出する方式、タッチにより遮蔽された部分の光量変化を検出する方式、などが知られている。
【０００３】
このようなタッチセンサを備えた画像表示装置において、ユーザの操作性向上や新規アプリケーション（例えば、画像の拡大や縮小操作機能など）の実現のために、多点タッチを検出する機能を持たせることが望まれている。
【０００４】
図１４は、従来の容量型タッチセンサの例を一説明する構成図である。このタッチセンサは二次元容量型センサと称するものである。ここでは説明のため、タッチセンサは５行（Ｘ方向）と３列（Ｙ方向）の電極を絶縁層を介して二次元マトリクス配置した検出セルを有している。図中、各検出セルは、それぞれ輪郭によって識別して示してある。ここで、検出セルとは、指などの静電容量を検出するための電極領域である。列内の検出セル（例えば、検出セル８４）においては、列検出電極（Ｙ座標電極）が背柱（連結電極）として検出セルを連続して通過しており、行検出電極（Ｘ座標電極、例えば、検出セル８６）は列検出電極の両側の二つの導電領域からなっており、電気結線４１で接続されている。
【０００５】
検出領域の端の列内の検出セル（即ち、列Ｘ１とＸ３、例えば、検出セル８６）においては、行検出電極が検出セルを連続的して通過しており、列検出電極は行検出電極の両側の二つの導電領域からなっている。この構成では、各検出セルは列検出電極と行検出電極は互いに電気的に接続される。両端の検出セルの行検出電極は、検出領域の外側に作られた電気結線３８，４０，４１によって互いに接続されているので、電気結線が検出領域内を横切る必要がない。すなわち、基板の片側だけに電極がある検出領域を有する容量型位置センサを提供することができる。
【０００６】
また、多点検出に関して、特許文献１が開示する入力装置を挙げることができる。すなわち、特許文献１が開示する入力装置は、縦横二次元マトリクス状に配置した検出用縦方向の電極（Ｘ電極）に発信器からの信号を印加する第１のスイッチ群と、横方向の電極（Ｙ電極）の信号を取出す第２のスイッチ群と、信号検出回路（ＡＭ変調回路）で構成される。この構成において、第１のスイッチ群により選択した１本のＸ電極に発信器から信号を入力し、この状態で第２のスイッチ群によりＹ電極を１本ずつ順次選択し、該Ｘ電極において静電容量の増加が発生しているかをＡＭ変調回路で検出する。さらに、発信器からの信号を印加するＸ電極を順次選択する。この動作を繰り返すことで面でのタッチ箇所の静電容量の変化を検出する。
【特許文献１】特開２００６−１７９０３５号公報
【発明の開示】
【発明が解決しようとする課題】
【０００７】
特許文献１に開示の構成と動作において、Ｘ座標電極がｍ本、Ｙ座標電極がｎ本で構成した場合、１回の信号検出時間をｔとすると、１面の座標検出に必要な時間はｍ×ｎ×ｔとなり、サンプリング時間が遅くなる。このため、高速な座標検出が必要となるアプリケーション（例えば、ゲーム機器）などへの適用は難しい。発信器の信号を全てのＸ座標電極に印加してＹ座標電極の信号を順次検出することで検出時間を短縮できるが、Ｙ座標電極の検出箇所が２点となった場合に、それぞれに対応するＸ座標電極を特定することができなくなる。
【０００８】
本発明の目的は、多点検出を短時間で可能とした容量結合方式の画面入力型画像表示システムを提供することにある。
【課題を解決するための手段】
【０００９】
上記目的を達成するため、本発明は、座標検出を２つの期間に分離し、第１の期間でタッチされたＸ座標電極とＹ座標電極の静電容量を全て検出し、次の第２期間で検出されたＸ座標電極とＹ座標電極の組合せを判定するための操作を行い、その結果に基づいて接触位置の座標を出力するシステムとする。
【００１０】
本発明は、上記第１の期間で検出されたＸ座標電極とＹ座標電極がそれぞれ２以上の場合には、座標の組合せを判定する第２期間の操作を実施し、第１の期間で検出されたＸ座標電極とＹ座標電極のうち、どちらか一方が１の場合には第２期間の操作を行わず、連続して第１の期間の座標検出を行う。
【００１１】
また、本発明は、上記第２期間では、検出されたＸ座標電極又は全てのＸ座標電極に印加する信号を、判定したい前記複数の検出されたＹ座標電極の一つに印加する。また、上記第２期間において、判定したいＹ座標電極に信号を印加した状態で、判定したい第１の期間で検出されたＸ座標電極の出力信号を第１の期間で検出した出力信号と比較することで座標の組合せを判断する。そして、上記第２の期間の座標判定において、該第２の期間で信号を印加しているＹ電極と組み合わせるＸ座標電極は、第１の期間におけるＸ座標電極の出力信号と比べ、第２期間におけるＸ座標電極の出力信号がより少なくなったＸ電極とする。
【発明の効果】
【００１２】
（１）前記第１の期間において座標を検出する回数は、Ｘ座標電極が１回とＹ座標電極が１回となるため、それぞれにかかる時間をｔとすると、タッチセンサ面全体の検出時間は２×ｔ時間となり、従来よりも検出時間が短縮する。（２）複数の接触点（タッチ）があった場合にも、前記第１の期間において接触点のＸ座標電極とＹ座標電極との信号を検出し、その後の前記第２の期間において判別が必要な電極のみ検出することで、精度よく、また短時間で複数点タッチ検出を実現できる。（３）同様に、複数の接触点があった場合に前記第１の期間において複数のＸ座標電極およびＹ座標電極に出力が検出された場合に、前記第２の期間において判定したい部分のみ再度検出することで、複数点の接触か、ノイズなどによる誤検出かを切り分けることができる。（４）前記第２の期間を利用して、検出したくないＹ座標領域に対応するＹ座標電極に、Ｘ座標電極に印加するのと同様の信号を印加することで、非検出の領域を設定できる。
【発明を実施するための最良の形態】
【００１３】
以下、本発明の最良の実施形態について、実施例の図面を参照して詳細に説明する。
【実施例１】
【００１４】
図１は、本発明の実施例１を説明する画面入力型画像表示システムの構成図である。図１において、表示装置１に重ね合わせてタッチパネル３が貼り合わされて画面入力型画像表示装置が構成される。表示装置１は、液晶表示パネル、有機ＥＬパネルなどである。タッチパネル３は静電容量結合方式のタッチパネルであり、このタッチパネル３にユーザの指等が接触（タッチ）したことによる容量変化を検出回路４が検出する。この容量変化の検出結果に基づく検出回路４の検出出力ＣＭＰはアナログ−デジタル・コンバータ（ＡＤＣ）５を介してタッチパネル制御回路６に渡され、タッチされた座標（Ｘ座標、Ｙ座標）が判定される。判定されたタッチ座標データＰＯＳは画面入力型画像表示装置の全体を制御する主制御回路（システム制御回路、マイコンやＣＰＵ等で構成される）７に転送される。
【００１５】
主制御回路７は、タッチ座標データＰＯＳからユーザのタッチの発生とその座標を判断し、それに応じた表示信号ＳＩＧを表示制御回路２を通して表示装置１に供給し、表示に反映させる。検出回路４やＡＤＣ５はタッチパネル制御回路６により制御される。
【００１６】
図２は、本発明の実施例１を構成するタッチパネルの構成例を説明する模式平面図である。図２において、タッチパネルへのタッチによる容量変化を検出するため、複数のＸ座標電極３０１と複数のＹ座標電極３０３が互いに交叉（通常は直交）して配置されている。なお、言うまでもなく、Ｘ座標電極３０１とＹ座標電極３０３との間には図示しない絶縁層（誘電体層）が介在する。また、Ｘ座標電極３０１とＹ座標電極３０３との間には、層間容量やフリンジ容量など電極自体の容量が形成される。また、タッチされる面には電極を劣化から保護する保護膜（図示せず）が形成されている。Ｘ座標電極３０１とＹ座標電極３０３はそれぞれの端子（Ｘ座標電極端子３０２、Ｙ座標電極端子３０４）を通して図１の検出回路４に接続される。
【００１７】
図３は、本発明の実施例１を構成する検出回路の構成例を説明するブロック図である。検出回路４は、Ｘ座標電極（Ｘ１、Ｘ２、・・・Ｘ６）と、Ｙ座標電極（Ｙ１、Ｙ２、・・・Ｙ８）のそれぞれに接続する容量検出回路４０１が設けられている。各容量検出回路４０１にはタッチパネル制御回路６からイネーブル信号ＥＮＢとリセット信号ＲＥＴが与えられ、検出出力ＣＭＰがＡＤＣに出力される。イネーブル信号ＥＮＢとリセット信号ＲＳＴは制御信号ＣＴＬに含まれる。検出出力ＣＭＰは静電容量の変化に応じて幅が変化するパルス信号である。なお、この構成に限らず、各座標のＸ−Ｙ座標電極間の容量変化をアナログ／デジタルで検出できる回路であればよい。
【００１８】
図４は、図３における容量検出回路の構成例を説明する図である。符号４０２は電流源、４０３と４０４はスイッチ、４０５はローパスフィルタとバッファアンプ、４０６は比較器である。この回路は、初期状態でリセット信号ＲＳＴによりスイッチ４０４をオンして各電極を接地電位ＧＮＤにリセットしておく。検出時にイネーブル信号ＥＮＢでスイッチ４０３をオンする（スイッチ４０４はオフ）ことで電極接続端子（３０２，３０４）に接続されるＸ座標電極、Ｙ座標電極に接続される容量成分へ電流源４０２からチャージし、そのチャージに必要となる時間を比較器４０６により検出する。これにより、座標を検出するためのＸ座標電極、Ｙ座標電極で検出される容量がタッチにより増加した場合、ある一定の電位に到達するまでの時間が長くなるため、比較器４０６の出力結果ＣＭＰに容量変化が反映される。
【００１９】
比較器４０６の出力結果ＣＭＰは、図１のＡＤＣ５によりデジタルデータに変換される。本実施例の場合には、ＡＤＣ５はイネーブル信号ＥＮＢが有効（オン）の期間で、且つ出力結果ＣＭＰがローレベルとなる期間を計算し、その結果をデジタルデータＣＮＴとして出力する。ＡＤＣ５の一例としては、上記イネーブル信号ＥＮＢが有効で、且つ出力結果ＣＭＰがローレベルとなる期間だけ、デジタルデータＣＮＴのパルスをカウントアップするカウンタを設けることで実現できる。
【００２０】
図５は、図１におけるタッチパネル制御回路の構成例を説明する図である。タッチパネル制御回路６では、Ｘ座標およびＹ座標を検出する各電極の信号に基づいて検出したデジタルデータＣＮＴから、Ｘ座標電極およびＹ座標電極の出力パルスのカウント値が最大となる座標（ピーク座標）をピーク座標検出部６０１で検出する。駆動制御部６０３は、Ｘ座標のピークカウント数ＮＰＸとＹ座標のピークカウント数ＮＰＹに応じて、次の検出を第１の検出期間（全座標の検出）とするか、座標判定のための第２の検出期間とするかを判断し、第１の検出期間と第２の検出期間を区別する信号ＭＤを出力する。これと同時に、それぞれの検出期間に応じた制御信号ＣＴＬを出力する。
【００２１】
演算処理部６０２は、次の操作が第１の検出期間の場合は、転送されているデジタルデータＣＮＴから座標を判定し、座標データＰＯＳとして主制御回路７に出力する。一方、次の操作が第２の検出期間の場合は、第１の検出期間でのデジタルデータＣＮＴと第２の検出期間でのデジタルデータＣＮＴ’とを基に座標を判定し、座標データＰＯＳとして主制御回路７に出力する。
【００２２】
図６は、図１のタッチパネル制御回路のシーケンスを説明するフローチャートである。ここで、Ｘ座標の検出点数、またはＹ座標の検出点数が１の場合には、それを座標値とし、他方の複数の検出座標も座標値として複数点の座標データとして処理し、座標データＰＯＳを出力する。なお、複数点はエラーを含むと想定した場合には、Ｘ座標及びＹ座標のうち、どちらか一方が複数であれば第２の検出期間とする。
【００２３】
一方、Ｘ座標の検出点数及びＹ座標の検出点数がどちらも複数の場合には、第２の検出期間の処理を実施して虚実判定を行い、第１の検出期間で得られたデジタルデータＣＮＴと、第２の検出期間で得られたデジタルデータＣＮＴ’とを比較判断することで座標データＰＯＳを生成し、主制御回路７に出力する。
【００２４】
図７は、複数点（ここでは２点）タッチしたときのタッチパネルの模式平面図である。タッチした部分はＸ座標電極（Ｘ１，Ｘ２，・・・・Ｘ６）３０２とＹ座標電極（Ｙ１，Ｙ２，・・・・・Ｙ８）３０４の間に容量成分が付加されるものとして考える。タッチ座標は、一例として（Ｘ２,Ｙ３）、（Ｘ４,Ｙ７）にあるとしている。但し、ユーザが指先でタッチしたような場合、指が接触した面積はペン先に比べて広いため、隣接する複数の電極に容量が付加されて出力される結果、デジタルデータＣＮＴはあるピークをもつ分布となる場合があるが、その場合には、一例として、ピークとなる座標で以降の動作を考えればよい。また、各座標の電極には、一般に寄生容量成分Ｃpが存在している。
【００２５】
図８は、本発明の実施例１における第１の検出期間を説明する波形とタイミング図である。第１の検出期間は座標を検出するためのＸ座標電極とＹ座標電極の全ての信号を検出する期間である。図８において、リセット信号ＲＳＴ（Ｘ１〜６,Ｙ１〜８）と、このＲＳＴ（Ｘ１〜６，Ｙ１〜８）に応じてイネーブル信号ＥＮＢ（Ｘ）、ＥＮＢ（Ｙ）が立ち上がって容量検出回路４０１が動作し、Ｘ座標の電極を検出する期間ＴsxではＹ座標の電極を接地ＧＮＤに接続しておき、Ｙ座標の電極を検出する期間ＴsyではＸ座標の電極を接地電位ＧＮＤに接続しておく。但し、検出する座標の電極以外の処理（ＧＮＤ接続、あるいは高インピーダンス接続等の他の処理）には制限されない。
【００２６】
ここで、タッチで選択されている部分の電極（座標電極Ｘ２、座標電極Ｙ３）は容量成分が増加しているため、電荷の充電に時間がかかり、設定した基準電圧を超えるまでの時間が長くなる。それに応じてデジタルデータＣＮＴも、デジタルデータＣＮＴ（Ｘ１、Ｘ２）（Ｙ１、Ｙ３）は、ＤＸ２＞ＤＸ１、ＤＹ３＞ＤＹ１と大きくなっている。すなわち、例えば、タッチされたＸ座標電極の電荷の充電時間はＶＩＮＴ（Ｘ２）に示され、タッチされていないＸ座標電極の電荷の充電時間はＶＩＮＴ（Ｘ１）に示したようになる。Ｙ座標電極についても同様である。
【００２７】
図９は、図８で説明した動作によって第１の検出期間に得られたデジタルデータのパルスカウント値を示す図である。横軸にはＸ座標電極（Ｘ１、Ｘ２、Ｘ３、Ｘ４、Ｘ５、Ｘ６）、Ｙ座標電極（Ｙ１、Ｙ２、Ｙ３、Ｙ４、Ｙ５、Ｙ６、Ｙ７、Ｙ８）を、縦軸にはＸ座標電極、Ｙ座標電極のデジタルデータのパルスカウント値を示す（図では、単にカウント値として示す）。図９において、Ｘ座標電極とＹ座標電極は共にピークが複数（２つ）あるため、第２の検出期間により、真のタッチ位置座標か否かの虚実判定を行う。この虚実判定を行わないと、それぞれのＸ座標電極（Ｘ２、Ｘ４）とＹ座標電極（Ｙ３、Ｙ７）の組合せ、および検出点数（２点から４点）を判定できない。
【００２８】
図１０は、本発明の実施例１における第２の検出期間を説明する波形とタイミング図である。図１０において、Ｔvy1は第１の検出期間で検出したＹ座標電極Ｙ３とタッチにより増加した容量成分を介して接触しているＸ座標電極を、第１の検出期間で検出されたＸ座標電極Ｘ２とＸ４から選択する期間である。この期間Ｔvy1では、虚実判定の対象となるＹ座標電極Ｙ３にのみ、Ｘ座標電極の検出と同様の動作（電流印加）を行い、その他のＹ座標電極は第１の期間と同様に接地電位ＧＮＤに接続する。この状態でＸ座標電極の検出を行う。
【００２９】
図１０では、虚実判定するＸ座標電極がＸ２とＸ４だけであるため、それ以外のＸ座標電極も接地電位ＧＮＤとなるように処理している。但し、Ｘ座標電極を全て検出する操作をしても構わない。この操作を実施することにより、虚実判定の対象となるＹ座標電極Ｙ３と接触容量（タッチによる容量増加）を介して接続しているＸ座標電極の検出信号は、Ｙ座標電極Ｙ３が同相で変化するために接触容量成分が充放電に寄与しなくなり、検出信号（デジタルデータＣＮＴ）Ｘ２が小さくなる。図１０の場合には、Ｘ座標電極Ｘ２の信号ＤＸ２（Ｙ３）が、Ｘ座標電極Ｘ４の信号ＤＸ４（Ｙ３）に比べて小さくなる。言い換えれば、指等が接触している電極は、第１の検出期間と第２の検出期間での信号差が大きくなる。
【００３０】
Ｔvy２は、第１の検出期間で検出した２つめのＹ座標電極（Ｙ７）と接触容量を介して接触しているＸ座標電極を判定するための期間であり、先の期間Ｔvy１と同様の動作を行って虚実判定をする。この第２の検出期間の検出結果を基に、図９の結果から座標（Ｘ２,Ｙ３）と座標（Ｘ４,Ｙ７）の２点をタッチ座標であると判定し、この判定結果の信号ＰＯＳを主制御回路７へ転送する。判定処理後は、再び第１の検出期間で全座標電極の信号状態を検出し、タッチ位置を判定する。
【００３１】
実施例１により、タッチパネル前面のタッチ検出に要する時間が短縮され、ユーザのタッチ入力を高速で処理することが可能となる。複数（２点）のタッチ検出を精度よく実行でき、安定したユーザ入力インターフェースを実現できる。
【実施例２】
【００３２】
次に、図１１〜図１３を参照して本発明の実施例２を説明する。前記した実施例１では、図３で説明したように、Ｘ座標電極およびＹ座標電極のそれぞれに容量検出回路４０１を設けたが、実施例２では、図１１に示したように、複数のＸ座標電極、および複数のＹ座標電極ごとに１つの容量検出回路をそれぞれ共通に設けて回路規模を削減した。図１１の（ａ）はＸ座標電極用の容量検出回路で、図１１の（ｂ）はＹ座標電極用の容量検出回路である。
【００３３】
図１１の（ａ）のＸ座標電極用の容量検出回路は、Ｘ座標電極Ｘ１，Ｘ２，・・・のそれぞれに切換えスイッチＳＷ３、ＳＷ４、ＳＷ５を並列に設け、電流源４０２とローパスフィルタ（＋バッファ回路）４０５および接地との間をイネーブル信号ＥＮＢとリセット信号ＲＳＴで順次切換えるようにした。図１１の（ｂ）のＹ座標電極用の容量検出回路も同様に、Ｙ座標電極Ｙ１，Ｙ２，・・・のそれぞれに切換えスイッチＳＷ３、ＳＷ４、ＳＷ５を並列に設け、電流源４０２とローパスフィルタ（＋バッファ回路）４０５および接地をイネーブル信号ＥＮＢとリセット信号ＲＳＴで順次切換えるようにした。
【００３４】
図１２は、図１１における第１の検出期間の動作を説明する波形とタイミング図である。また、図１３は、図１１における第２の検出期間の動作を説明する波形とタイミング図である。なお、図１３では、第２の検出期間においてＸ座標電極の全てを選択しているが、実施例１と同様に、虚実判定したい部分のみの座標電極を検出するようにしてもよい。
【００３５】
実施例２では、第１の検出期間でノイズ等により誤検出し、前記のようなパルスカウント値の複数ピークを検出した場合でも、第２の検出期間の虚実判定により誤検出の判定が可能となる。また、第２の検出期間の動作を応用して、検出したくないＹ座標領域にかかわるＹ座標電極にＸ座標検出時と同様の信号を印加することで、当該検出したくないＹ座標領域へのタッチによる容量の影響を軽減でき、検出領域を選択することが可能となる。
【図面の簡単な説明】
【００３６】
【図１】本発明の実施例１を説明する画面入力型画像表示システムの構成図である。
【図２】本発明の実施例１を構成するタッチパネルの構成例を説明する模式平面図である。
【図３】本発明の実施例１を構成する検出回路の構成例を説明するブロック図である。
【図４】図３における容量検出回路の構成例を説明する図である。
【図５】図１におけるタッチパネル制御回路の構成例を説明する図である。
【図６】図１のタッチパネル制御回路のシーケンスを説明するフローチャートである。
【図７】複数点タッチしたときのタッチパネルの模式平面図である。
【図８】本発明の実施例１における第１の検出期間を説明する波形とタイミング図である。
【図９】図８で説明した動作によって第１の検出期間に得られたデジタルデータのパルスカウント値を示す図である。
【図１０】本発明の実施例１における第２の検出期間を説明する波形とタイミング図である。
【図１１】本発明の実施例２を説明する回路構成図である。
【図１２】図１１における第１の検出期間の動作を説明する波形とタイミング図である。
【図１３】図１１における第２の検出期間の動作を説明する波形とタイミング図である。
【図１４】従来の容量型タッチセンサの例を一説明する構成図である。
【符号の説明】
【００３７】
１・・・表示装置、２・・・表示制御回路、３・・・タッチパネル、４・・・検出回路、５・・・ＡＤＣ、６・・・タッチパネル制御回路、７・・・主制御回路。
【図３】
0004932667.tif 000002
【図４】
0004932667.tif 000003
【図５】
0004932667.tif 000004
【図６】
0004932667.tif 000005
【図８】
0004932667.tif 000006
【図１０】
0004932667.tif 000007
【図１１】
0004932667.tif 000008
【図１】
0004932667.tif 000009
【図２】
0004932667.tif 000010
【図７】
0004932667.tif 000011
【図９】
0004932667.tif 000012
【図１２】
0004932667.tif 000013
【図１３】
0004932667.tif 000014
【図１４】
0004932667.tif 000015